【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
ビデオシーケンスの立体画像ペアにおけるオブジェクトに関する奥行き指標が、目標範囲外であると判断するステップと、
前記オブジェクトに関する前記奥行き指標が、前記目標範囲内であるように、前記立体画像ペアの１つまたは複数の画像を修正するステップと、
を含む、方法。
【請求項２】
前記オブジェクトと、前記ビデオシーケンスの別の部分との間の奥行き遷移を平滑化するステップをさらに含む、請求項１に記載の方法。
【請求項３】
前記立体画像ペアの１つまたは複数の画像を修正するステップは、前記オブジェクトに関する前記奥行き指標が、ゼロと、前の立体画像ペアにおける対応するオブジェクトに関する奥行き指標の値と、の間であるように修正するステップを含む、請求項１または２に記載の方法。
【請求項４】
前記立体画像ペアの１つまたは複数の画像を修正するステップは、前記立体画像ペアを、前記オブジェクトを含む２Ｄ画像ペアと取り替えるステップを含む、請求項１または２に記載の方法。
【請求項５】
前記立体画像ペアを前記２Ｄ画像ペアと取り替えるステップは、結果として、（ｉ）ゼロでない視差を有する１つまたは複数の立体画像ペアであって、前記奥行き指標が前記立体画像ペア全体に関して前記目標範囲内である１つまたは複数の立体画像ペアと、（ｉｉ）１つまたは複数の２Ｄ画像ペアと、を含むビデオシーケンスをもたらす、請求項４に記載の方法。
【請求項６】
前記奥行き指標が閾値を超えることにより前記目標範囲外であると判断するステップと、
前記閾値を超えるという前記判断に基づいて、前記立体画像ペアを前記２Ｄ画像ペアと取り替えることを判断するステップと、
をさらに含む、請求項４に記載の方法。
【請求項７】
前記平滑化するステップは、前記オブジェクトと、前記立体画像ペア中の領域と、の間の奥行き遷移を平滑化するステップを含む、請求項２に記載の方法。
【請求項８】
前記領域は、前記オブジェクトに隣接している、請求項７に記載の方法。
【請求項９】
前記平滑化するステップは、前記オブジェクトと、前記ビデオシーケンスの別個の画像ペア中の対応するオブジェクトと、の間の奥行き遷移を平滑化するステップを含む、請求項２または請求項７乃至８のいずれか一項に記載の方法。
【請求項１０】
前記別個の画像ペアは、前記ビデオシーケンス中の前記立体画像ペアの前に現れる、請求項９に記載の方法。
【請求項１１】
前記別個の画像ペアは、前記ビデオシーケンス中の前記立体画像ペアの後に現れる、請求項９に記載の方法。
【請求項１２】
前記平滑化するステップは、前記立体画像ペアにおいて行われる、請求項９乃至１１のいずれか一項に記載の方法。
【請求項１３】
前記平滑化するステップは、前記別個の画像ペアにおいて行われる、請求項９乃至１２のいずれか一項に記載の方法。
【請求項１４】
前記別個の画像ペアは、立体画像ペアを含む、請求項９乃至１３のいずれか一項に記載の方法。
【請求項１５】
前記別個の画像ペアは、２Ｄ画像ペアを含む、請求項９乃至１３のいずれか一項に記載の方法。
【請求項１６】
前記平滑化するステップは、前記奥行き指標の勾配が目標勾配範囲内になるまで行われる、請求項２に記載の方法。
【請求項１７】
前記平滑化するステップは、前記平滑化が行われる平滑化ゾーンを決定するステップを含む、請求項２に記載の方法。
【請求項１８】
前記平滑化ゾーンは、前記立体画像ペア内に空間的平滑化ゾーンを含み、前記オブジェクトの周りの指定された幅のピクセルを含む、請求項１７に記載の方法。
【請求項１９】
前記空間的平滑化ゾーンは、前記立体画像ペアの前記画像の１つに対して決定される、請求項１８に記載の方法。
【請求項２０】
前記平滑化ゾーンは、時間的平滑化ゾーンを含み、前記ビデオシーケンス中の１つまたは複数の立体画像ペアを含み、前記オブジェクトの前記奥行き指標が前記１つまたは複数の立体画像ペア中の対応するオブジェクトに対して平滑化される、請求項１７乃至１９のいずれか一項に記載の方法。
【請求項２１】
前記平滑化するステップは、前記平滑化ゾーンを通して前記奥行き指標を線形的に変化させるステップを含む、請求項１７に記載の方法。
【請求項２２】
前記オブジェクトに関する前記奥行き指標が前記目標範囲外であると判断するステップは、前記奥行き指標が、少なくともあらかじめ定められた時間の間、閾値を超えたと判断するステップを含む、請求項１乃至２１のいずれか一項に記載の方法。
【請求項２３】
請求項１乃至２２のいずれか一項に記載の前記方法を実行するように構成された、装置。
【請求項２４】
ビデオシーケンスの立体画像ペアにおけるオブジェクトに関する奥行き指標が、目標範囲外であると判断するステップと、
前記オブジェクトに関する前記奥行き指標が、前記目標範囲内であるように、前記立体画像ペアの１つまたは複数の画像を修正するステップと、
を行うために集合的に構成された１つまたは複数のプロセッサを備える、請求項２３に記載の装置。
【請求項２５】
ビデオシーケンスの立体画像ペアにおけるオブジェクトに関する奥行き指標が、目標範囲外であると判断するための手段と、
前記オブジェクトに関する前記奥行き指標が、前記目標範囲内であるように、前記立体画像ペアの１つまたは複数の画像を修正するための手段と、
を備える、請求項２３に記載の装置。
【請求項２６】
請求項１乃至２２のいずれか一項に記載の前記方法が、前記ビデオシーケンスの再生中に前記ビデオシーケンスで実行されるようにするために十分なメモリまたはバッファを有する、請求項２３に記載の装置。
【請求項２７】
１つまたは複数のプロセッサに、請求項１乃至２２のいずれか一項に記載の前記方法を集合的に実行させるための命令を格納した、プロセッサ可読媒体。
【手続補正２】
【補正対象書類名】明細書
【補正対象項目名】０１２８
【補正方法】変更
【補正の内容】
【０１２８】
いくつかの実装形態が説明された。しかしながら、様々な変更形態が作成される可能性があることは理解されるであろう。例えば、異なる実装形態の要素が、組み合わされる、補足される、修正される、または除去されて、他の実装形態を生成する。加えて、他の構造およびプロセスが、開示されたものの代わりとなる可能性があり、結果として生じる実装形態は、少なくとも実質的に同じ（１または複数の）機能を、少なくとも実質的に同じ（１または複数の）方法で行って、実装形態が開示するものと少なくとも実質的に同じ（１または複数の）結果を達成することを当業者は理解するであろう。したがって、これらの実装形態および他の実装形態が、この出願によって企図される。
＜付記１＞
ビデオシーケンスの立体画像ペアにおけるオブジェクトの奥行き指標が、目標範囲外であると判断するステップと、
前記オブジェクトの前記奥行き指標が、目標範囲内であるように、前記立体画像ペアの１または複数の画像を修正するステップと、
を含む、方法。
＜付記２＞
前記オブジェクトと、前記ビデオシーケンスの別の部分との間の奥行き遷移を平滑化するステップ
をさらに含む、付記１に記載の方法。
＜付記３＞
前記立体画像ペアの１または複数の画像を修正するステップは、前記オブジェクトの前記奥行き指標が、ゼロと前の立体画像ペアにおける対応するオブジェクトの前記奥行き指標の値との間であるように修正するステップを含む、付記１または２に記載の方法。
＜付記４＞
前記立体画像ペアの１つまたは複数の画像を修正するステップは、前記立体画像ペアを前記オブジェクトを含む２Ｄ画像ペアと取り替えるステップを含む、付記１または２に記載の方法。
＜付記５＞
前記立体画像ペアを前記２Ｄ画像ペアと取り替えるステップは、結果として、（ｉ）ゼロでない像差を有し、その前記奥行き指標が前記画像ペア全体の目標範囲内である１または複数の立体画像ペアと、（ｉｉ）１または複数の２Ｄ画像ペアとを含むビデオシーケンスをもたらす、付記４に記載の方法。
＜付記６＞
前記奥行き指標は、閾値を超えて前記目標範囲外であると判断するステップと、
前記閾値が超えられるという前記判断に基づいて、前記立体画像ペアを前記２Ｄ画像ペアと取り替えることを判断するステップと、
をさらに含む、付記４に記載の方法。
＜付記７＞
平滑化するステップは、前記オブジェクトと前記立体画像ペア中の領域との間の奥行き遷移を平滑化するステップを含む、付記２に記載の方法。
＜付記８＞
前記領域は、前記オブジェクトに隣接している、付記７に記載の方法。
＜付記９＞
平滑化するステップは、前記オブジェクトと前記ビデオシーケンスの別個の画像ペア中の対応するオブジェクトとの間の奥行き遷移を平滑化するステップを含む、付記２または付記７乃至８のいずれか一項に記載の方法。
＜付記１０＞
前記別個の画像ペアは、前記ビデオシーケンス中の前記立体画像ペアの前に現れる、付記９に記載の方法。
＜付記１１＞
前記別個の画像ペアは、前記ビデオシーケンス中の前記立体画像ペアの後に現れる、付記９に記載の方法。
＜付記１２＞
前記平滑化は、前記立体画像ペアにおいて行われる、付記９乃至１１のいずれか一項に記載の方法。
＜付記１３＞
前記平滑化は、前記別個の画像ペアにおいて行われる、付記９乃至１２のいずれか一項に記載の方法。
＜付記１４＞
前記別個の画像ペアは、立体画像ペアを含む、付記９乃至１３のいずれか一項に記載の方法。
＜付記１５＞
前記別個の画像ペアは、２Ｄ画像ペアを含む、付記９乃至１３のいずれか一項に記載の方法。
＜付記１６＞
前記平滑化は、前記奥行き指標の勾配が目標勾配範囲内になるまで行われる、付記３に記載の方法。
＜付記１７＞
前記平滑化するステップは、前記平滑化が行われる平滑化ゾーンを決定するステップを含む、付記３に記載の方法。
＜付記１８＞
前記平滑化ゾーンは、前記立体画像ペア内に空間的平滑化ゾーンを含み、前記オブジェクトの周りの指定された幅のピクセルを含む、付記１７に記載の方法。
＜付記１９＞
前記空間的平滑化ゾーンは、前記立体画像ペアの前記画像の１つに対して決定される、付記１８に記載の方法。
＜付記２０＞
前記平滑化ゾーンは、時間的平滑化ゾーンを含み、ビデオシーケンス中の１または複数の立体画像ペアであって、前記オブジェクトの前記奥行き指標が前記１または複数の立体画像ペア中の対応するオブジェクトに対して平滑化される１または複数の立体画像ペアを含む、前記付記１７乃至１９のいずれか一項に記載の方法。
＜付記２１＞
平滑化するステップは、前記平滑化ゾーン全体にわたって前記奥行き指標を線形的に変化させるステップを含む、付記１７に記載の方法。
＜付記２２＞
前記オブジェクトの前記奥行き指標が目標範囲外であると判断するステップは、前記奥行き指標が、少なくともあらかじめ定められた時間の間、閾値を超えたと判断するステップを含む、付記１乃至２１のいずれか一項に記載の方法。
＜付記２３＞
付記１乃至２２に記載の前記方法の１または複数を行うように構成された、装置。
＜付記２４＞
ビデオシーケンスの立体画像ペアにおけるオブジェクトの奥行き指標が、目標範囲外であると判断するステップと、
前記オブジェクトの前記奥行き指標が目標範囲内となるように、前記立体画像ペアの１または複数の画像を修正するステップと、
を行うために集合的に構成された１または複数のプロセッサを備える、付記２３に記載の装置。
＜付記２５＞
ビデオシーケンスの立体画像ペアにおけるオブジェクトの奥行き指標が、目標範囲外であると判断するための手段と、
前記オブジェクトの前記奥行き指標が目標範囲内となるように、前記立体画像ペアの１または複数の画像を修正するための手段と、
を備える、付記２３に記載の装置。
＜付記２６＞
付記１乃至２２に記載の前記方法の１または複数が前記ビデオシーケンスの再生中に前記ビデオシーケンスで行われるようにするために十分な待ち時間を有する、付記２３に記載の装置。
＜付記２７＞
１または複数のプロセッサに、付記１乃至２２に記載の前記方法の１または複数を集合的に行わせるための命令をそこに格納した、プロセッサ可読媒体。